(57)【要約】      （修正有）【課題】樹脂容器を減容化する際の手間を簡素化にする。【解決手段】樹脂容器回収装置１０は、筐体２０と、筐体２０の前面上部に減容機３０を有する。減容機３０は、筐体２０の前面上部に設けられ、樹脂容器の口を当接させる吸引部４０と、吸引部４０を介して空気を吸引する真空ポンプ５０とから構成されている。筐体２０の上面には、樹脂容器の口を閉塞するキャップを回収するキャップ回収部６０と、樹脂容器に残留する液体を回収する液回収部７０と、減容化された減容容器を回収する減容容器回収部８０とが設けられている。樹脂容器を捨てる場合には、まず、キャップをキャップ回収部６０に投入し、液回収部７０に残留する液体を排出した後に吸引部４０に樹脂容器の口を押圧して減容化する。【選択図】図１
0003130700.tif 000002
【実用新案登録請求の範囲】
【請求項１】
樹脂容器の内部空気を吸引して前記樹脂容器を減容化する減容機と、減容化された減容容器を回収する減容容器回収部と、を有する樹脂容器回収装置において、
前記樹脂容器の口を閉塞するキャップを回収するキャップ回収部と、
前記樹脂容器に残留する液体を回収する液回収部と、
を備えた樹脂容器回収装置。
【請求項２】
前記液回収部は、
前記樹脂容器に残留する液体が排出される液回収口と、
該液回収口に排出された液体を貯留する廃液回収タンクとを有する請求項１に記載の樹脂容器回収装置。
【請求項３】
前記減容機は、
弾性材により形成され、前記樹脂容器の口が水平方向または水平方向に対して傾斜させた傾斜方向から嵌合される吸引ノズルと、
前記樹脂容器の口に前記吸引ノズルが押圧されることを検出する検出手段と、
前記検出手段から出力された電気信号により起動され、前記吸引ノズルの空気を吸引する前記真空ポンプとを有する請求項１または２に記載の樹脂容器回収装置。
【請求項４】
前記吸引ノズルは、
外周に前記樹脂容器の口が嵌合される嵌合部と、
軸方向に貫通し、前記真空ポンプの吸引ポートに連通された吸引孔と、
該吸引孔とノズル外周との間を連通するように形成された空気流入路とを有する請求項３に記載の樹脂容器回収装置。
【考案の詳細な説明】
【技術分野】
【０００１】
本考案は樹脂容器回収装置に係り、特に使用済みの樹脂容器を潰した状態に変形させて回収するよう構成された樹脂容器回収装置に関する。
【背景技術】
【０００２】
樹脂容器としては、例えば飲料用に用いられているペットボトルが広く普及しており、さらには自動販売機によってあらゆる場所で水、お茶、ジュース、コーヒ等が注入された様々なペットボトルを購入することが可能になっている。ペットボトルは、樹脂材料であるポリエチレンテレフタラート（ＰＥＴ）により所定の容量を有する容器に成型されており、リサイクルを考慮して透明になっている。
【０００３】
一方、使用済みのペットボトルは、回収されて再利用（リサイクル）されている。そのため、飲料用のペットボトルを販売している店舗や自動販売機の近くには、使用済みのペットボトルを回収するためのゴミ箱が設置されている。
【０００４】
ところが、夏場などのように大量のペットボトルが販売されると、ゴミ箱が多数のペットボトルで満杯になってしまい、ペットボトルがゴミ箱から溢れてしまうこともある。
【０００５】
このような、使用済みのペットボトルは、内部に空気が入っているだけなので、潰すことにより、容積を大幅に減少させて回収可能数を倍増させることが可能になる。そのため、例えば、特許文献１に記載されたようなペットボトルの内部の空気を負圧で吸引することでペットボトルを潰した状態にして回収することが提案されている。
【特許文献１】特開２００４−２４９５３０号公報
【考案の開示】
【考案が解決しようとする課題】
【０００６】
しかしながら、上記特許文献１に記載された回収装置では、ペットボトルを減容化して回収する構成であるが、ペットボトルから分離されたキャップをペットボトルと分別するため、減容化されたペットボトルを装置の回収口に投入した後、キャップを廃棄するためのゴミ箱を探すことになり、面倒であるという問題があった。
また、上記特許文献１に記載された回収装置では、ペットボトルの口を下に向けて吸引ノズルに挿入するため、吸引開始前にペットボトル内に残留した液体が落下して吸引ノズルの周辺を汚してしまうという問題があった。
さらに、上記特許文献１に記載された回収装置では、ペットボトルに残留している液体を空気と共に吸引してしまうと、真空ポンプが吸引された液体によって作動不良を起こすため、装置内に吸引された空気と液体とを分離させる気液分離装置を設ける必要がある。そのため、この気液分離装置の取付スペースを確保しようとすると、装置筐体が大型化したり、あるいは装置筐体内にペットボトルを収納するための回収スペースが減少してペットボトルの回収数量が制限されてしまうといった問題が生じる。
【０００７】
そこで、本考案は上記事情に鑑み、上記課題を解決した樹脂容器回収装置を提供することを目的とする。
【課題を解決するための手段】
【０００８】
上記課題を解決するため、本考案は以下のような手段を有する。
【０００９】
本考案は、樹脂容器の内部空気を真空ポンプにより吸引して前記樹脂容器を減容化する減容機と、減容化された減容容器を回収する減容容器回収部と、を有する樹脂容器回収装置において、前記樹脂容器の口を閉塞するキャップを回収するキャップ回収部と、前記樹脂容器に残留する液体を回収する液回収部と、を備えることにより、上記課題を解決するものである。
【００１０】
また、本考案は、前記液回収部が、前記樹脂容器に残留する液体が排出される液回収口と、該液回収口に排出された液体を貯留する廃液回収タンクとを有することにより、上記課題を解決するものである。
【００１１】
また、本考案は、前記減容機は、弾性材により成型され、前記樹脂容器の口が水平方向または水平方向に対して傾斜させた傾斜方向から嵌合される吸引ノズルと、前記樹脂容器の口に前記吸引ノズルが押圧されることを検出する検出手段と、前記検出手段から出力された電気信号により起動され、前記吸引ノズルの空気を吸引する前記真空ポンプとを有することが望ましい。
【００１２】
また、本考案は、前記吸引ノズルが、外周に前記樹脂容器の口が嵌合される嵌合部と、軸方向に貫通し、前記真空ポンプの吸引ポートに連通された吸引孔と、該吸引孔とノズル外周との間を連通するように形成された空気流入路とを有することが望ましい。
【考案の効果】
【００１３】
本考案によれば、キャップ回収部、液回収部を設けることにより、樹脂容器を減容機によって潰す前に樹脂容器のキャップをキャップ回収部に投入させてキャップを回収し、そして、樹脂容器に残留する液体を液回収部に排出して空の状態にしてから樹脂容器を減容機によって潰すことが可能になり、これにより、キャップを捨てるためのゴミ箱を探す必要がなくなり、さらに減容機が樹脂容器に残留する液体により汚れることが無く、液体を吸引しないで済むので、気液分離チャンバを設ける必要もなくなり、樹脂容器の回収スペースが制限されることを防止することができる。
【考案を実施するための最良の形態】
【００１４】
以下、図面を参照して本考案を実施するための最良の形態について説明する。
【実施例１】
【００１５】
図１は本考案による樹脂容器回収装置の一実施例を示す斜視図である。図２は樹脂容器回収装置の一部を断面で示す正面図である。図３は樹脂容器回収装置の一部を断面で示す側面図である。図４は樹脂容器回収装置の平面図である。
【００１６】
図１乃至図４に示されるように、樹脂容器回収装置１０は、筐体２０と、筐体２０の前面上部に減容機３０を有する。筐体２０は、直方体を縦にした箱形であるので、設置スペースが小さくて済み、例えば、廊下や室内に設置する場合でも邪魔にならない大きさになっている。筐体２０に組み込まれた減容機３０は、筐体２０の前面上部に設けられ、樹脂容器の口を当接させる吸引部４０と、吸引部４０を介して空気を吸引する真空ポンプ５０とから構成されている。また、筐体２０は、直方体以外の形状、例えば、円筒状でも良い。
【００１７】
さらに、筐体２０の上面には、樹脂容器の口を閉塞するキャップを回収するキャップ回収部６０と、樹脂容器に残留する液体を回収する液回収部７０と、減容化された減容容器を回収する減容容器回収部８０とが設けられている。
【００１８】
キャップ回収部６０は、液回収部７０の後方に設けられた収納部６２と、収納部６２に挿入された縦長形状のキャップ回収容器６４とから構成されている。このキャップ回収容器６４は、収納部６２から取り出すことができるので、回収されたキャップが満杯になったときは、簡単な操作で回収されたキャップを取り出すことができる。
【００１９】
液回収部７０は、減容機３０の上方に配置されたタンク収容部７２と、タンク収容部７２に収容された液回収タンク７４と、液回収タンク７４の上部開口に載置されるパンチングプレート７６とから構成されている。パンチングプレート７６には、多数の小孔が打ち抜かれているため、樹脂容器から排出された液体を液回収タンク７４に落下させることができる。尚、パンチングプレート７６は、樹脂容器から液体が排出された際の液体の勢いを減速して跳ね返りを防止すると共に、異物が液回収タンク７４に落下することを防止している。
【００２０】
また、液回収タンク７４は、パンチングプレート７６を外すことで容易に取り出すことができるので、液体で満杯になる前に溜まった液体をバケツなどに移すことができる。
【００２１】
従って、樹脂容器を捨てる場合には、まず、キャップをキャップ回収部６０に投入し、液回収部７０に残留する液体を排出した後に吸引部４０に樹脂容器の口を押圧して減容化することができる。そのため、樹脂容器から分離されたキャップを捨てるゴミ箱を探さずに済むので手間が簡素化されると共に、残液を排出してから樹脂容器を減容化することにより、真空ポンプ５０に液体が吸引されることを防止でき、従来のように気液分離チャンバ（前述した特許文献１参照）を設けずに済む。
【００２２】
また、液回収タンク７４にドレンホースを接続して筐体２０の背面側などから外部の排水溝などに回収された液体を排出する構成とすることも可能である。その場合、液回収タンク７４に溜まった液体を別の容器に移す作業が不用になる。
【００２３】
減容容器回収部８０は、筐体２０の上面に形成された投入口８２と、投入口８２の下方に設置された回収箱８４とからなる。また、投入口８２は、カバー部材８６と傾斜パネル８８との間に開口しているので、減容化された樹脂容器が傾斜パネル８８に載置されると、樹脂容器は傾斜パネル８８に沿って投入口８２に落下する。回収箱８４は、筐体２０の正面に設けられた扉２２を開くことにより取り出すことができるので、回収箱８４に溜まった樹脂容器を一括して集めることができる。
【００２４】
ここで、吸引部４０の構成について図５を参照して説明する。図５に示されるように、吸引部４０は、樹脂容器９０の口９２が嵌合される吸引ノズル１００と、吸引ノズル１００の軸１０１を軸方向に移動可能に支持する軸受け１０２と、軸受け１０２を保持するブラケット１０４と、ブラケット１０４の側面に支持された検出スイッチ１０６と、筐体２０の正面の上部に開口する筒状のケース１０８とを有する。
【００２５】
吸引ノズル１００は、軸線が水平方向に対して所定角度傾斜して設けられている。そのため、樹脂容器９０を減容する場合には、操作者は、樹脂容器９０を斜め上方から樹脂容器９０の口９２を吸引ノズル１００に嵌合させることになり、操作しやすい角度となるように傾斜角度が設定されている。また、吸引ノズル１００は、内部を貫通するねじにより軸１０１と結合されており、軸１０１と共に軸受け１０２により支持されている。軸受け１０２には、吸引ノズル１００を外側に押圧するバネ部材が内蔵されており、操作者は、このバネ力に抗して樹脂容器９０を吸引ノズル１００に押圧する。そのため、操作者は、押圧力の変化によって減容開始のタイミングを認識することが可能になる。
【００２６】
検出スイッチ１０６は、吸引ノズル１００の背面側に対向するように設けられ、その検出ピン１０７が吸引ノズル１００の背面に押圧されることでオンに切り替わる。これにより、真空ポンプ５０への通電が行なわれ、真空ポンプ５０が起動する。また、吸引ノズル１００に対する押圧操作が解除されることで、検出ピン１０７がバネ力によりオフ位置に復帰するため、検出スイッチ１０６がオフになると共に、真空ポンプ５０は停止する。
【００２７】
従って、真空ポンプ５０は、樹脂容器９０の口９２を吸引ノズル１００に嵌合させて押圧することにより起動されて樹脂容器９０の内部の空気を吸引する。これにより、円筒形状の樹脂容器９０は、外側の大気圧と内側の負圧との圧力差により、図５中一点鎖線で示すように潰される。尚、樹脂容器９０は、口９２の外周にキャップが螺合するためのネジが形成されているため、口９２が負圧によって潰れず、吸引ノズル１００との嵌合状態が保たれる。
【００２８】
潰された樹脂容器９０Ａを吸引ノズル１００から離間させると、検出スイッチ１０６がオフになるため、真空ポンプ５０は停止状態になり、空気吸引を停止する。
【００２９】
図６は吸引ノズル１００の構成を示す図であり、（Ａ）は正面図、（Ｂ）は側面図、（Ｃ）は背面図、（Ｄ）は縦断面図である。図６（Ａ）〜図６（Ｄ）に示されるように、吸引ノズル１００は、弾性を有する樹脂材により一体成型されており、円錐状に形成された嵌合部１１０と、嵌合部１１０の中央を軸方向に貫通する吸引孔１１２と、嵌合部１１０の下端形成された鍔部１１４と、検出ピン１０７が接触する鍔部１１４の背面１１６とを有する。
【００３０】
また、嵌合部１１０の先端には、吸引孔１１２に連通する空気流入溝１１８が周方向の９０度間隔で設けられている。この空気流入溝１１８は、半径方向に貫通しているため、例えば、誤って手や指で吸引孔１１２を正面から押圧した場合でも外周側で開口する４箇所の空気流入溝１１８から空気が吸引孔１１２内に流入するため、吸引孔１１２における負圧が軽減されて吸引孔１１２から離脱させることができる。また、空気流入溝１１８は、嵌合部１１０に嵌合された樹脂容器９０の口９２の内側に開口するため、真空ポンプ５０による負圧が低下することはない。
【００３１】
また、嵌合部１１０は、テーパ部を有する円錐形状であるので、口径の異なる樹脂容器９０を減容化する場合にも嵌合させることが可能であり、容量の異なる複数種の樹脂容器９０に対応することができる。また、嵌合部１１０は、樹脂容器９０の口９２の内周に密着して空気漏れのない状態で樹脂容器９０の内部に負圧を導入することができ、樹脂容器９０を効率よく減容化することが可能になる。
【００３２】
図７は吸引ノズル１００の変形例の構成を示す図であり、（Ａ）は正面図、（Ｂ）は側面図、（Ｃ）は背面図、（Ｄ）は縦断面図である。尚、上記図６と同一部分には、同一符号を付してその説明を省略する。
【００３３】
図７（Ａ）〜図７（Ｄ）に示されるように、変形例の吸引ノズル１００Ａは、弾性を有する樹脂材により形成されており、樹脂容器９０の口９２に挿入される挿入部１２０が嵌合部１１０の先端に設けられている。挿入部１２０の外周には、半径方向に貫通する４個（９０度間隔）の空気流入孔１２２が開口している。この空気流入孔１２２は、軸方向に貫通する吸引孔１１２と交差して連通されているため、真空ポンプ５０の吸引動作時には吸引孔１１２及び空気流入孔１２２から樹脂容器９０内の空気を吸引する。
【００３４】
また、誤って手や指で吸引孔１１２を正面から押圧した場合には、空気流入孔１２２から空気が吸引されるので、吸引孔１１２における負圧が軽減されて吸引孔１１２から離脱させることができる。
【００３５】
図８は減容機３０の概略構成を示す図である。図８に示されるように、減容機３０を構成する真空ポンプ５０は、ハウジング５１の内部に、モータ５２と、モータ５２に駆動されるクランク機構５３と、クランク機構５３を介して往復駆動されるダイヤフラム５４と、空気の吸気、排気を行なうダイヤフラム室５５とが収納されている。また、真空ポンプ５０の吸引ポート５６は、ダイヤフラム５４の吸引動作時に開弁する逆流防止弁５７が設けられ、且つ吸引ノズル１００に連通された吸引管３２が接続されている。また、排気ポート５８は、ダイヤフラム５４の排気動作時に開弁する逆流防止弁５９が設けられ、且つ排気管３４が接続されている。
【００３６】
モータ５２は、樹脂容器９０の口９２が吸引ノズル１００に押圧されて検出スイッチ１０６がオンになると、ＡＣ１００Ｖが通電されて回転駆動される。モータ５２の回転駆動力は、クランク機構５３を介してダイヤフラム５４に伝達される。これにより、ダイヤフラム５４が往復運動することで、ダイヤフラム室５５の容積が拡大または縮小されるため、逆流防止弁５７,５８が交互に開弁して空気の吸気と排気が行なわれる。
【００３７】
真空ポンプ５０は、上記構成により小型化及び静音化されているため、筐体２０の空いているスペースに取り付けることができ、他の機器と干渉しないように設けることができる。
【００３８】
図９は減容機３０の変形例１の概略構成を示す図である。尚、上記図８と同一部分には、同一符号を付してその説明を省略する。図９に示されるように、変形例の減容機３０Ａは、吸引管３２の途中に空気中に含まれる湿気（水分）を除去するフィルタユニット１３０が設けられている。このフィルタユニット１３０は、比較的容量の小さいものであり、例えば、液回収部７０で回収しきれなかった少量の液体が樹脂容器９０に残留している場合に、吸引された空気と共に吸引された水分を除去する。
【００３９】
また、フィルタユニット１３０は、ケース１３２内に水分を通過させない膜フィルタ１３４が収納されている。ケース１３２の底部に溜まった水分（液体）は、定期的に外部に排出される。
【００４０】
図１０は減容機３０の変形例２の構成を示す平面図である。図１１は減容機３０の変形例２の内部構成を示す縦断面図である。図１２は減容機３０の変形例２の正面からみた正面断面図である。図１３は減容機３０の変形例２の構成を背面からみた背面断面図である。尚、前述した各部分と同一部分には、同一符号を付してその説明を省略する。
【００４１】
図１０乃至図１３に示されるように、変形例２の減容機３０Ｂは、吸引部４０と、真空ポンプ５０と、フィルタユニット１３０とが一つのハウジング１４０に収容されて一体化されている。このように、減容機３０Ｂは、各機器が一体化されたユニットとして構成されるため、前述した筐体２０の上面または側面から着脱可能に組み込むことが可能である。
【００４２】
減容機３０Ｂの吸引部４０は、吸引ノズル１００が水平方向から樹脂容器１００を嵌合させる向きに設けられている。そのため、樹脂容器１００に少量の液体が残っている場合でも液体が吸引されにくい向きで樹脂容器１００を減容化することができる。
【００４３】
吸引部４０は、ハウジング１４０の前側に起立する前側ブラケット１４２に支持されており、ノズル１００がハウジング１４０の前側に開口する挿入口１４４に対向する高さ位置に保持されている。挿入口１４４は、上方からみると円弧形状に湾曲しており、且つ正面からつまみ１４６を昇降操作することでシャッタ１４８が昇降して閉塞または開放される。このシャッタ１４８は、吸引部４０が使用されない場合に挿入口１４４を閉じる位置に操作されており、空気中に浮遊する塵埃が侵入することを防止して吸引部４０が汚れないように保護している。
【００４４】
また、シャッタ１４８は、左右両側を垂直方向に延在するガイド部１５０によってガイドされるため、比較的軽い操作力で開閉操作することができる。
【００４５】
真空ポンプ５０は、前側ブラケット１４２の後方（背面側）に配置され、その上方にはフィルタユニット１３０が後側ブラケット１５２によって支持されている。このように、減容機３０Ｂは、各機器がハウジング１４０の内部に立体的に収納されているので、コンパクトな構成なっている。
【００４６】
また、ハウジング１４０の天板には、フィルタユニット１３０をメンテナンスするための開口１５４が設けられている。この開口１５４は、蓋部材１５６によって閉塞されているので、メンテナンス時になると蓋部材１５６を開いてフィルタユニット１３０のケース１３２を取り出すことができ、ケース１３２に溜まった液体を排出することができる。
【００４７】
このように、減容機３０Ｂは、各機器がハウジング１４０の内部に収納されたユニット化された構造であるので、筐体２０の取付作業が容易に行えるとともに、例えば、可搬式減容機として、必要に応じて任意の場所（例えば、電車やバスなどの車両や、自動販売機の近傍、食堂、休憩所、待合室、映画館、イベント施設、学校、病院など）へ移動させて使用することも可能になる。
【００４８】
図１４は樹脂容器回収装置１０の変形例の構成を示す平面図である。図１５は樹脂容器回収装置１０の変形例の構成を示す正面図である。図１６は樹脂容器回収装置１０の変形例の側面図である。尚、前述した各部分と同一部分には、同一符号を付してその説明を省略する。
【００４９】
図１４乃至図１６に示されるように、樹脂容器回収装置１０Ａは、台所の流し台として使用される筐体２００に減容機３０Ｃを設けた構成である。筐体２００は、例えば、システムキッチンに組み込まれるように設置スペースに応じた大きさ、高さに形成されており、正面には複数の扉２１０が開閉可能に取り付けられている。
【００５０】
筐体２００の背面側に起立する壁部２０２には、吸引部４０が設けられている。吸引部４０は、子供の手が届かない位置に設けられており、いたずらを防止することができる。また、吸引部４０の前側には、Ｄ方向に回動可能に取り付けられた蓋部材２０４が設けられている。この蓋部材２０４は、水平な向きに回動された場合に吸引部４０を閉塞して水や洗剤などが付着することを防止する。
【００５１】
また、樹脂容器９０を減容化するときは、蓋部材２０４を垂直な状態に回動させるだけで、吸引部４０を開放させて使用することができる。尚、真空ポンプ５０は、筐体２００の空スペースの任意の位置に取り付けられている。
また、筐体２００の上面には、キャップ回収部６０と、液回収部７０とが設けられている。液回収部７０は、排水口２２０を有する流し凹部２３０に隣接され、底部のドレン孔２２２が流し凹部２３０に連通されているので、液回収部７０に排出された液体を排水口２２０へ流出させることができる。また、液回収部７０は、台形状に開口するように形成されており、口９２を下向きにした樹脂容器９０を垂直状態にして挿入されると、樹脂容器９０に残っている液体を速やかに排出させることができる。
【００５２】
また、筐体２００の正面には、減容化された減容容器を回収する減容容器回収部８０が設けられている。減容容器回収部８０の扉２１０は、投入口８２を有しており、内側には回収箱８４が収納されている。従って、減容化された樹脂容器９０は、投入口８２から回収箱８４に落下される。
【００５３】
従って、樹脂容器９０を捨てる場合には、まず、キャップをキャップ回収部６０に投入し、液回収部７０に残留する液体を排出した後に蓋部材２０４を垂直状態に回動して吸引部４０を開放し、吸引ノズル１００に樹脂容器９０の口９２を押圧して減容化する。そして、減容化された樹脂容器９０を投入口８２から回収箱８４に投入する。このように、家庭の台所にも樹脂容器回収装置１０Ａを設置することで、樹脂容器９０を容易に減容化することができ、台所の収納スペースを有効に利用することが可能になる。
【００５４】
尚、吸引部４０、キャップ回収部６０、液回収部７０、減容容器回収部８０の取付位置は、上記実施例に限るものではなく、筐体２００の前面あるいは上面などの使いやすい場所に適宜設置することも可能である。
【図面の簡単な説明】
【００５５】
【図１】本考案による樹脂容器回収装置の一実施例を示す斜視図である。
【図２】樹脂容器回収装置の一部を断面で示す正面図である。
【図３】樹脂容器回収装置の一部を断面で示す側面図である。
【図４】樹脂容器回収装置の平面図である。
【図５】吸引部４０の構成を拡大して示す図である。
【図６】吸引ノズル１００の構成を示す図であり、（Ａ）は正面図、（Ｂ）は側面図、（Ｃ）は背面図、（Ｄ）は縦断面図である。
【図７】吸引ノズル１００の変形例の構成を示す図であり、（Ａ）は正面図、（Ｂ）は側面図、（Ｃ）は背面図、（Ｄ）は縦断面図である。
【図８】減容機３０の概略構成を示す図である。
【図９】減容機３０の変形例１の概略構成を示す図である。
【図１０】減容機３０の変形例２の構成を示す平面図である。
【図１１】減容機３０の変形例２の内部構成を示す縦断面図である。
【図１２】減容機３０の変形例２の正面からみた正面断面図である。
【図１３】減容機３０の変形例２の構成を背面からみた背面断面図である。
【図１４】樹脂容器回収装置１０の変形例の構成を示す平面図である。
【図１５】樹脂容器回収装置１０の変形例の構成を示す正面図である。
【図１６】樹脂容器回収装置１０の変形例の側面図である。
【符号の説明】
【００５６】
１０,１０Ａ  樹脂容器回収装置
２０,２００  筐体
３０,３０Ａ,３０Ｂ,３０Ｃ  減容機
４０  吸引部
５０  真空ポンプ
５１  ハウジング
５２  モータ
５３  クランク機構
５４  ダイヤフラム
５６  吸引ポート
５８  排気ポート
６０  キャップ回収部
６４  キャップ回収容器
７０  液回収部
７４  液回収タンク
８０  減容容器回収部
８２  投入口
８４  回収箱
９０  樹脂容器
１００  吸引ノズル
１０６  検出スイッチ
１１０  嵌合部
１１２  吸引孔
１１８  空気流入溝
１２０  挿入部
１２２  空気流入孔
１３０  フィルタユニット
１４０  ハウジング
１４８  シャッタ
２３０  流し凹部
【図１】
0003130700.tif 000003
【図２】
0003130700.tif 000004
【図３】
0003130700.tif 000005
【図４】
0003130700.tif 000006
【図５】
0003130700.tif 000007
【図６】
0003130700.tif 000008
【図７】
0003130700.tif 000009
【図８】
0003130700.tif 000010
【図９】
0003130700.tif 000011
【図１０】
0003130700.tif 000012
【図１１】
0003130700.tif 000013
【図１２】
0003130700.tif 000014
【図１３】
0003130700.tif 000015
【図１４】
0003130700.tif 000016
【図１５】
0003130700.tif 000017
【図１６】
0003130700.tif 000018